(57)【要約】【課題】変形ローラを含むマッサージローラを具えることにより横揉み感を付与でき指圧感を高めて、マッサージ効果を向上しうるマッサージ機を提供する。【解決手段】使用者を指圧するマッサージ手段を具えるマッサージ機であって、前記マッサージ手段は、使用者の脊椎に沿ってのびるガイド部を有する取付け台、駆動手段により駆動され前記ガイド部に沿って往復動する移動体、該移動体に、端部が背中に向けて前後に揺動可能に枢支される揺動アーム、及び前記揺動アームの端部で支持され、かつ往復動方向に転動しうるマッサージローラを含む指圧具を具えるとともに、前記取付け台に、前記マッサージローラを前に押出すことにより指圧力を高める押出し部を設け、しかも前記マッサージローラは、少なくとも一方の側面を、該マッサージローラの回転軸心に対して傾斜した変形ローラを含む。【選択図】  図１
2004305552.tif 000002
【特許請求の範囲】
【請求項１】
使用者を指圧するマッサージ手段を具えるマッサージ機であって、前記マッサージ手段は、使用者の脊椎に沿ってのびるガイド部を有する取付け台、駆動手段により駆動され前記ガイド部に沿って往復動する移動体、該移動体に、端部が背中に向けて前後に揺動可能に枢支される揺動アーム、及び前記揺動アームの端部で支持され、かつ往復動方向に転動しうるマッサージローラを含む指圧具を具えるとともに、
前記取付け台に、前記マッサージローラを前に押出すことにより指圧力を高める押出し部を設け、
しかも前記マッサージローラは、少なくとも一方の側面を、該マッサージローラの回転軸心に対して傾斜した変形ローラを含むマッサージ機。
【請求項２】
前記変形ローラは、両側面が回転軸心に対して同じ向きに傾斜することを特徴とする請求項１記載のマッサージ機。
【請求項３】
前記変形ローラは、一方の側面のみが回転軸心に対して傾斜することを特徴とする請求項１記載のマッサージ機。
【請求項４】
前記変形ローラは、一方の側面が回転軸心に対して傾斜するとともに、他方の側面は、その一部を、前記一方の側面と同向きに傾斜させたことを特徴とする請求項１記載のマッサージ機。
【請求項５】
前記移動体は、端部を往動側、復動側に向ける一対の揺動アームを具えるとともに、前記指圧具は、前記端部で傾動自在に保持されるマッサージアームと、その両端部で枢支される前記マッサージローラとからなり、かつ揺動アームに、前記押出し部を乗り上げることにより指圧具を持ち上げる突上げ脚を設けたことを特徴とする請求項１〜４のいずれかに記載のマッサージ機。
【請求項６】
前記指圧具は、前記揺動アームの両端部かつ両側面に配置され、しかも前記移動体は、その往復動方向両側に夫々前記揺動アームを具えるとともに、揺動アームは前記端部を前に付勢するバネ手段を具えることを特徴とする請求項１〜５のいずれかに記載のマッサージ機。
【発明の詳細な説明】
【０００１】
【発明の属する技術分野】
本発明は、変形ローラを含むマッサージローラを具えることにより横揉み感を付与でき指圧感を高めて、マッサージ効果を向上しうるマッサージ機に関する。
【０００２】
【従来の技術】
マッサージローラを、使用者の脊椎に沿って移動することにより首、背中、腰等を順次指圧する椅子型、マット型等のマッサージ機が知られている（例えば特許文献１参照）。
【０００３】
【特許文献１】
特開２００３−７０８６０号公報（図２，図３、図８）
【０００４】
【発明が解決しようとする課題】
しかしながらこのものは、例えば図１２に示すように、マッサージローラａは、側面ｓが回転軸心ｘに対して直角な円板状、乃至は周囲を波形とした円板状に形成され、その結果、マッサージローラａの通り過ぎ伴う押圧による前後の向きの指圧感は得られるとはいえ、側方向、即ち背骨と直交する方向への変化感がなく、さらなる指圧感の向上、マッサージ効果の改善が求められている。
【０００５】
本発明は、マッサージローラが、少なくとも一方の側面を回転軸心に対して傾斜した変形ローラを含むことにより、側方への変化感を付与でき、横揉みの指圧感を付与してマッサージ効果を高めうるマッサージ機の提供を課題としている。
【０００６】
【課題を解決するための手段】
本件請求項１に係る発明は、使用者を指圧するマッサージ手段を具えるマッサージ機であって、前記マッサージ手段は、使用者の脊椎に沿ってのびるガイド部を有する取付け台、駆動手段により駆動され前記ガイド部に沿って往復動する移動体、該移動体に、端部が背中に向けて前後に揺動可能に枢支される揺動アーム、及び前記揺動アームの端部で支持され、往復動方向に転動しうるマッサージローラを含む指圧具を具えるとともに、
前記取付け台に、前記マッサージローラを前に押出すことにより指圧力を高める押出し部を設け、しかも前記マッサージローラは、少なくとも一方の側面を、該マッサージローラの回転軸心に対して傾斜した変形ローラを含むことを特徴とする。
【０００７】
又請求項２に係る発明は、前記変形ローラが、両側面が回転軸心に対して同じ向きに傾斜すること、かつ請求項３に係る発明は、前記変形ローラが一方の側面が回転軸心に対して傾斜すること、請求項４に係る発明は、前記変形ローラが、一方の側面が回転軸心に対して傾斜するとともに、他方の側面は、その一部を、前記一方の側面と同向きに傾斜させたことを特徴とする。
【０００８】
又請求項５に係る発明は、前記移動体が、端部を往動側、復動側に向ける一対の揺動アームを具えるとともに、前記指圧具は、前記端部で傾動自在に保持されるマッサージアームと、その両端部で枢支される前記マッサージローラとからなり、かつ揺動アームに、前記押出し部を乗り上げることにより指圧具を持ち上げる突上げ脚を設けたこと、請求項６に係る発明は、前記指圧具が、前記揺動アームの両端部かつ両側面に配置され、しかも前記移動体は、その往復動方向両側に夫々前記揺動アームを具えるとともに、揺動アームは前記端部を前に付勢するバネ手段を具えることを特徴とする。
【０００９】
【発明の実施の形態】
以下、本発明の実施の一形態を、図面に基づき説明する。図１は、本発明のマッサージ機１が椅子型のマッサージ装置として形成された場合を例示する正面図、図２はその側面図であり、マッサージ機１は、使用者が着座する座面部Ｃ１と、背中を支持する背もたれ部Ｃ２とを有する椅子基体Ｃの前記背もたれ部Ｃ２に、外殻を破線で示すマッサージ手段２を収納している。
【００１０】
前記椅子基体Ｃは、例えばリクライニングチェヤであって、背もたれ部Ｃ２は、座面部Ｃ１に対する角度を、背もたれ状態から水平状態の間で多段、乃至自在に変化できる。また前記背もたれ部Ｃ２は、図１に示すように、金属製の周囲枠体ｆ１に適宜の横桟ｆ２、乃至縦桟などを架け渡したフレームｆを具え、背もたれ部Ｃ２を覆うシート内部の例えばウレタンフォーム等のクッション部材の前面（使用者の背中に向く側を「前」と呼ぶ）を開放した凹所内に、前記マッサージ手段２を配置するとともに前記シートで全体を被覆している。なおシートには前記マッサージ手段２の前方に、補強シートＳを添設する。
【００１１】
前記マッサージ手段２は、図３〜５に示すように、使用者の脊椎に沿ってのびるガイド部４を有する取付け台５、駆動手段Ｄにより駆動され前記ガイド部５に沿って往復動する移動体６、該移動体６に、端部が背中に向けて前後に揺動可能に枢支される揺動アーム７、及び前記揺動アーム７の前記端部で支持され、かつ往復動方向に転動しうるマッサージローラＲを含む指圧具８を具え、しかも前記取付け台５には、前記指圧具８を前に押出すための押出し部９を設けている。
【００１２】
前記取付け台５は、本形態では矩形状の基板部５ａの周囲に補強、固定用の周壁５ｂを立ち上げた扁平皿状をなし、該取付け台５が前記背もたれ部Ｃ２の前記フレームｆの上下の横桟ｆ２に固着することにより、このマッサージ手段２が固定される。
【００１３】
又前記基板部５ａには、上下にのび、かつ向き合うリップを先端に有する断面コ字の前記ガイド部４が固定され、前記リップは前記移動体６を保持案内しうるレール４ａを構成している。又前記ガイド部４には、前記駆動手段Ｄの駆動部１１がその溝部内を挿通して配されている。
【００１４】
前記駆動部１１は例えばネジ軸であり、前記駆動手段Ｄは、この駆動部１１と、前記ガイド部４の下端部（図３における下端部）に配され、この駆動部１１を作動する例えばモータＭを有する原動部１２と、前記移動体６に取り付けられかつ駆動部１１に係合してその作動とともに該移動体６を上下動する、図示しない被動部とからなる。なお本形態では、前記駆動部１１をなす前記ネジ軸は、両端部で折り返す一連のネジ溝１１ａを有し、その一方向の連続回転により、前記被動部と一体な前記移動体６を両端部で折り返して往復動させる。
【００１５】
前記駆動部１１はその上端を上の軸受箱１３に、下端を下の軸受箱１４により軸支されるとともに、下の軸受箱１４には、前記モータＭの回転を減速する減速装置１５を収納している。なお、駆動手段Ｄとして、ガイド部４の端部間を周回するチェーンなどの紐状体を用いるもの、又シリンダなどの直線運動機を用いるものなど、種々な機構のものを利用できる。
【００１６】
前記移動体６は、前記ガイド部４の溝内に遊嵌され前記被動部を一体に有する基部に、前記レール４ａ間から前方（図３における紙面と垂直かつ紙面から離れる向き）に突出する立上げ部６Ａを設けており、かつ立上げ部６Ａには上（図３における右）に偏位して両側に、前記ガイド部５Ａの側面を越える長さの支持軸６Ｂ，６Ｂを突設している。又この支持軸６Ｂには、前記レール４ａを転動し、移動体６を保持案内しうる走行ローラ１６をその根元部で枢支し、かつ突端部で、前記揺動アーム７を夫々枢着している。
【００１７】
この揺動アーム７は、本形態では、端部を、上向き移動に際して先となる側、即ち往動側と、下向き移動に際して先となる側、即ち復動側に向ける一対の揺動アーム７Ａ，７Ｂからなり、各基端部を前記支持軸６Ｂに枢着されることにより、各他の端部を前後に揺動しうる。また一方の揺動アーム７Ａは、例えば一枚の板体からなり、また他方の揺動アーム７Ｂは、二股部を形成する２枚重ねの板体からなり、この二股部において揺動アーム７Ａの端部を挟んで共に前記支持軸６Ｂに枢着している。
【００１８】
なお本形態では、この支持軸６Ｂに、揺動アーム７Ａ，７Ｂの各端部を前に付勢するバネ手段１７を設けている。なおこのバネ手段１７は、例えば前記支持軸６Ｂを周回する巻き部分からの延長部を揺動アーム７Ａ，７Ｂに係止する捩りバネを用いている。支持軸６Ｂ以外の場所にも取付でき、その他、ゴム材などをも用いて形成しうる。
【００１９】
又揺動アーム７（７Ａ，７Ｂ）の各端部には、前記マッサージローラＲを有する指圧具８が夫々取付けられ、本形態では、指圧具８は、各揺動アーム７の両側面に配置されている。
【００２０】
この指圧具８は、揺動アーム７の前記端部で、略中央部を枢支されるマッサージアーム２０と、その両端で回転自在に支持される前記マッサージローラＲとからなり、かつ指圧具８は、前記往動側の揺動アーム７Ａに設ける指圧具８Ａと、復動側の揺動アーム７Ｂに設ける指圧具８Ｂとを含む。又マッサージローラＲは、例えば図７に示すように、円盤状の基部２２にボス部２３を突設し、かつ中心孔２４を透設するとともに、前記基部２２の周囲には、指圧感を生じさせる突起Ｐを設けている。なお本形態では、歯先円での直径ｄは２０〜５０ｍｍ、好ましくは２５〜３５ｍｍ程度、かつ基部２２の巾ｗは１０〜３０ｍｍ、好ましくは１０〜２０ｍｍとし、例えば直径ｄ、巾ｗが異なるローラを混在させることもできる。又突起Ｐの高さｈは１．５〜３ｍｍ程度、かつ周方向に１０〜１５程度の個数となる角度ピッチで形成している。
【００２１】
マッサージローラＲには、少なくとも一方の側面ｓを該マッサージローラＲの回転軸心ｘに対して傾斜した変形ローラＲｖを、両側面ｓが回転軸心ｘに対して直角な通常ローラＲｎ（図７に示す）と混用（図３に示す）することも、全てを変形ローラＲｖにより形成することもできる。
【００２２】
この変形ローラＲｖには、例えば図８に示すような、両側面ｓ１，ｓ２をともに同じ向き、角度で回転軸心ｘに対して傾斜（例えば８〜２５゜、好ましくは１０〜２０゜、又は両側面を異なる角度とすることもできる）させた第１の変形ローラＲｖ１、図９に示すように、一方の側面ｓ１のみを回転軸心ｘに対して傾斜させた第２の変形ローラＲｖ２、又は図１０（Ａ）、（Ｂ）に示すように、一方の側面ｓ１が回転軸心に対して傾斜するとともに、他方の側面ｓ２は、その一部のみを、前記一方の側面と同向きに傾斜させた切欠き部２６を形成した第３の変形ローラＲｖ３とすることもできる。
【００２３】
その結果、第１の変形ローラＲｖ１においては、側方向の向きの横揉み感を顕著として指圧のつまみ感を高め、第２、第３の変形ローラＲｖ２、Ｒｖ３においては、前記突起Ｐの接触長さが周方向に変化することにより指圧感を向上できる。なお、第３の変形ローラＲｖ３において、一方の側面ｓ１を回転軸心ｘに対して直角とするなど、変形ローラＲｖにおいて種々態様を変化でき、ときに、突起Ｐのないローラとすることもできる。
【００２４】
変形ローラＲｖにおいて、「側面ｓを該マッサージローラＲの回転軸心ｘに対して傾斜」とは、変形ローラＲｖは指圧感に横方向の動感を付与するために用いるものであり、そのため、前記した変形ローラＲｖのように、実際の側面ｓが傾斜している場合の他、指圧効果を生じる外周縁部（突起がないとき）、又は突起Ｐの側方向の各端部を対角に結ぶ線がなす周方向の仮想側面が回転軸心ｘに対して傾斜している場合を含む。即ち換言すると、両側面が回転軸心に対して直角な円盤状の基部に、周方向に対して横揺れする指圧効果を発揮する部分を設けた場合も包含する。
【００２５】
図３は、前記通常ローラＲｎを、下方の指圧部８Ｂ、しかもガイブ部４に向く指圧具８Ｂにおいて、前記マッサージアーム２０の上端部に配置するとともに、他の１４個のマッサージローラＲとして、第３の変形ローラＲｖ３を用いた場合を例示している。
【００２６】
又前記揺動アーム７Ａ，７Ｂには、例えば前記端部に、後方（図３において紙面に垂直かつ紙面に向かう方向）に向かって延在する突上げ脚２７Ａ，２７Ｂを設け、かつその後端に前記乗上げローラ２９をそれぞれ支持している。この乗上げローラ２９は、前記押出し部９に乗り上げることにより揺動アーム７の端部を押上げ、前記指圧具８を持ち上げる。
【００２７】
押出し部９は、本形態では、図５，図６に例示するように、前記上下の軸受箱１３，１４に設ける上、下端の第１，第４の押出し片９Ａ，９Ｄと、前記取付け台５の基板部５ａに前記ガイド部４に沿って設けた第２，第３の押出し片９Ｂ，９Ｃとを包含する。第１の押出し片９Ａは、図５に示すごとく、前記上の軸受箱１３の袖壁状をなし、かつ上に向かって前記基板部５ａから徐々に隆起する傾斜部９Ａ１、その上端の中間の水平部９Ａ２を介して、この水平部９Ａ２から続く傾斜部９Ａ３と、その上端の水平部９Ａ４と、その上端に連なり徐々に高さを減じる傾斜部９Ａ５とを設けている。
【００２８】
又第２，３の押出し片９Ｂ，９Ｃは小高さの円弧状片であり、かつ第４の押出し片９Ｄは、下方に向かい徐々に隆起する例えば直線状の傾斜部９Ｄ１の下端に水平部９Ｄ２を連設している。なお、押出し部９は、指圧場所（つぼなど）における指圧の強弱に応じて、マッサージローラＲが心地よく指圧しうる、種々な形状、配置とすることができる。
【００２９】
従って、前記原動部１２のモータＭを回転させ駆動部１１を回転することにより、前記移動体６を、前記駆動部１１の上下端で折り返しつつ上下に往復動させ、それに伴い、揺動アーム７Ａ，７Ｂに設ける指圧具８Ａ，８Ｂを往復させる。そのとき、前記マッサージローラＲは、使用者の背面に押圧されて前記補強シートに接してその間の摩擦力により腰、背中、肩間で往復動方向に回転する。また回転とともに、変形ローラＲｖは、巾方向に補強シートとの接触位置、乃至接触巾が変化し、横揉み状の指圧感を発生させる。又複数種類の変形ローラＲｖを混在させることにより、その変化の度合いを高めうる。
【００３０】
又図６に示すように、往復動により、本形態では指圧具８Ａは前記突上げ脚２７Ａが第１〜第３の押出し片９Ａ〜９Ｃで、又指圧具８Ｂは第２〜第４の押出し片９Ｂ〜９Ｄで持ち上げられ、その傾斜部９Ａ１、９Ａ３、９Ａ５、９Ｄ１、水平部９Ａ２、９Ａ４、９Ｄ２の高さ形状に合わせて各指圧具８Ａ，８Ｂを使用者の背面に向けてつぼに応じて押上げ、快適な指圧を可能とする。さらに、各マッサージアーム２０にはその上下端部に各マッサージローラＲを設けているため、このマッサージアーム２０は、背中に沿って傾動でき、局部的な違和感、痛感を低減して指圧効果を高めうる。
【００３１】
なお、本発明のマッサージ手段２は、図１１に例示するように、揺動アーム７Ａ，７Ｂを互いに入れ込み可能な端部とした軸杆体として形成し、又マッサージアーム２０をバネ手段３１により一方向に付勢傾動させることも、又ガイド部４として、移動体６を案内できさえすれば、前記基板部５ａに設ける１本、又は複数本の単なる板などを用いた、または基板部５ａを隆起させたレール状体として形成するなど、種々変形しうる。又マッサージ手段２は椅子の他、マットなど、適宜の家具、装置に組み込みマッサージ装置を構成できる。
【００３２】
【発明の効果】
このように、本発明のマッサージ機は、マッサージローラとして変形ローラを含むため、この変形ローラの往復動方向への回転とともに、巾方向に背中での接触位置、乃至接触巾が変化し、横揉み状の指圧感を発生させ、指圧感を向上するとともに指圧効果を高めうる。又指圧具を持ち上げる押出し部を具えることにより、持ち上げ位置を肩、背中、腰のつぼ、乃至それらの凹凸形状に合わせてマッサージローラを持ち上げ、かつ持ち上げ量を変化することにより、指圧効果、マッサージ効果を向上し心地良さを高めうる。
【図面の簡単な説明】
【図１】本発明のマッサージ機が椅子である場合のその一実施形態を例を例示する正面図である。
【図２】その側面図である。
【図３】マッサージ手段を例示する平面図である。
【図４】その正面図である。
【図５】その斜視図である。
【図６】作用を説明する部分図である。
【図７】通常のローラを例示する断面図である。
【図８】変形ローラの一例を示す断面図である。
【図９】変形ローラの他の例を示す断面図である。
【図１０】（Ａ）は変形ローラのさらに他の例を示す断面図、（Ｂ）はその外観を示す正面図である。
【図１１】（Ａ）はマッサージ手段の他の形態を例示する平面図、（Ｂ）はその正面図である。
【図１２】従来の指圧具をマッサージローラとともに例示する平面図である。
【符号の説明】
２                                    マッサージ手段
４                                    ガイド部
５                                    取付け台
６                                    移動体
７，７Ａ，７Ｂ            揺動アーム
８，８Ａ，８Ｂ            指圧具
９                                    押出し部
１７                                    バネ手段
２０                                    マッサージアーム
２７，２７Ａ，２７Ｂ    突上げ脚
Ｒ                                    マッサージローラ
Ｒｖ                                変形ローラ
ｘ                                    回転軸心
ｓ，ｓ１，ｓ２            側面
【図１】
2004305552.tif 000003
【図２】
2004305552.tif 000004
【図３】
2004305552.tif 000005
【図４】
2004305552.tif 000006
【図５】
2004305552.tif 000007
【図６】
2004305552.tif 000008
【図７】
2004305552.tif 000009
【図８】
2004305552.tif 000010
【図９】
2004305552.tif 000011
【図１０】
2004305552.tif 000012
【図１１】
2004305552.tif 000013
【図１２】
2004305552.tif 000014